(57)【要約】【課題】  屋内、車内でのソファー上やシート上等においての使用に適する適宜な使用態様に応じて、閉状態での折り畳み重合一体化してなる一般的形態のクッションとしても、或いはまた、L 字状に開状態となして、クッション性に優れた座面部と背もたれ部を有する座席形状のクッションとしても使用し得る形態変化可能な利便性、興趣に優れる新規構造のクッションを提供することを目的とする。【解決手段】相互に適合する直線状の線分でなる連結辺部４、５を有すると共にクッション材を内包してなる一対のクッション体１、２を前記連結辺部４、５をもって折り畳み重合可能に連結一体化すると共に該一対のクッション体１、２をスライドファスナー等の係着具３を介在して相互に開閉自在に構成したことを特徴とする。【選択図】  図４
0003148767.tif 000002
【実用新案登録請求の範囲】
【請求項１】
相互に適合する直線状の線分でなる連結辺部４、５を有すると共にクッション材を内包してなる一対のクッション体１、２を前記連結辺部４、５をもって折り畳み重合可能に連結一体化すると共に該一対のクッション体１、２をスライドファスナー等の係着具３を介在して相互に開閉自在に構成したことを特徴とするクッション。
【請求項２】
前記一対のクッション体１、２が同形同大である請求項１に記載のクッション。
【考案の詳細な説明】
【技術分野】
【０００１】
本考案は、屋内、車内でのソファー上やシート上等において、背もたれ、枕、座布団等として使用し得るクッションに関するものである。
【背景技術】
【０００２】
従来のこの種のクッションは、クッション材を内包してなる枕状乃至座布団状等の固定された形状を呈するのが一般的であり、形態上の変化を与えることはできない構成であることから、利便性、興趣に欠けるという問題点があった。
【特許文献１】特開２００２−３５５１６５号公報
【考案の開示】
【考案が解決しようとする課題】
【０００３】
本考案は、如上の問題点に鑑みてこれを解決すべく案出したものであって、屋内、車内でのソファー上やシート上等においての使用に適する適宜な使用態様に応じて、閉状態での折り畳み重合一体化してなる一般的形態のクッションとしても、或いはまた、L 字状等に開状態となして、ソファー、シート、その他の場所においても、クッション性に優れた座面部と背もたれ部とを有する座席形状のクッションとしても使用し得る形態変化可能な利便性、興趣に優れる新規構造のクッションを提供することを目的とするものである。
【課題を解決するための手段】
【０００４】
本考案に係るクッションは、相互に適合する直線状の線分でなる連結辺部を有すると共にクッション材を内包してなる一対のクッション体を前記連結辺部をもって折り畳み重合可能に連結一体化すると共に該一対のクッション体をスライドファスナー等の係着具を介在して相互に開閉自在に構成したことを最も主要な特徴とするものである。
【考案の効果】
【０００５】
本考案に係るクッションは、クッション材を内包してなる一対のクッション体をスライドファスナー等の係着具におけるスライダー操作によってきわめて手軽に開閉自在とすることができることから、必要に応じて適宜に閉状態の折り畳み重合一体化してなる一般的形態のクッションとして、或いはまたＬ字状の開状態となしてソファー、シート、その他の場所において、クッション性に優れた座面部と背もたれ部とを有する座席形状のクッションとしても使用し得て、使用態様に応じて形態変化を可能とする利便性、興趣に優れたクッションとなす優れた実用的効果を有する。
【考案を実施するための最良の形態】
【０００６】
本考案は、クッション材を内包してなる一対のクッション体をスライドファスナー等の係着具を介在させることによって、係着具におけるスライダー操作によってきわめて手軽に一対のクッション体を必要に応じて適宜に閉状態の折り畳み重合一体化してなる一般的形態のクッションとなし、或いはまた、L字状の開状態のとなしてクッション性に優れた座面部と背もたれ部とを有する座席形状のクッションとしても使用し得る使用態様に応じて形態変化を可能とするクッションを実現したものである。
【実施例１】
【０００７】
以下に、本考案を図示する実施例に基づいて説明すると、本考案に係るクッションは、適宜なスポンジ、低反発性ウレタン等のクッション材を内包してなる一対のクッション体１、２をスライドファスナー等の係着具３を介在して開閉自在に構成している。
【０００８】
上記の一対のクッション体１、２は、相互に適合する直線状の線分でなる連結辺部４，５を設けており、該連結辺部４，５に強靱な布帛を添着一体化する等の手段を用いて一対のクッション体１，２の両者を相互に折り畳み重合可能に連結形成している。
【０００９】
本実施例においては、一対のクッション体１，２における相互に適合する直線状の線分でなる連結辺部４、５以外の部分においては略Ｕ字形状に成形しているが、当該連結辺部４、５以外の部分の形状については特定するものではなく任意に設定し得るものである。即ち、一対のクッション体１，２の両者において、相互に折り畳み重合可能となすために相互に適合する直線状の線分でなる連結辺部４、５を有することを必須とするが、該連結辺部４、５以外の部分の形状については円形、楕円、その他直線状の辺を有する矩形、菱形等を基調とするものであってもよい。
【００１０】
ここにおいて、一対のクッション体１、２におけるその両者を同形同大に構成すれば、閉状態で折り畳み重合一体化した場合での全体形状が纏まりあるものとなり易く、デザイン上有利であると共に製作コストを抑え得、経済的である等の効果を得ることができる。
【００１１】
そして、一対のクッション体１、２における相互の重合面側の連結辺部４、５以外の
外周縁にスライドファスナー等の係着具３を設けており、該係着具３をもってそのスライダー６操作によって手軽に一対のクッション体１、２の両者を適宜に開閉可能となしている。
【００１２】
スライドファスナー等の係着具３の閉状態では、図３に例示するように一対のクッション体１、２は折り畳んで重合一体化してなる一般的形態のクッションとして使用に供することができる。
【００１３】
スライドファスナー等の係着具３を解除する開状態では、図４に例示するように一対のクッション体１、２をクッション性に優れた座面部と背もたれ部とを有するＬ字状の座席形状のクッションとしても使用し得る形態変化を可能とすることができる。
【００１４】
上記の如き構成になる本考案に係るクッションは、クッション材を内包してなる一対のクッション体１、２をスライドファスナー等の係着具３のスライダー操作によってきわめて手軽に開閉自在とすることができる。これにより、必要に応じて適宜に閉状態の折り畳み重合一体化してなる一般的形態のクッションとして、或いはまた、Ｌ字状の開状態となしてソファー、シート、その他の場所において、クッション性に優れた座面部と背もたれ部とを有する座席形状のクッションとしても使用し得て、使用態様に応じて形態変化を可能とする利便性、興趣に優れた実用的効果を奏する。
【図面の簡単な説明】
【００１５】
【図１】本考案に係るクッションの実施例を示す閉状態の平面図である。
【図２】同状態の背面図である。
【図３】同状態の側面図である。
【図４】開状態状態の側面図である。
【符号の説明】
【００１６】
１    クッション体
２    クッション体
３    スライドファスナー等の係着具
４    接続辺部
５    接続辺部  
６    スライダー
【図１】
0003148767.tif 000003
【図２】
0003148767.tif 000004
【図３】
0003148767.tif 000005
【図４】
0003148767.tif 000006